(57)【特許請求の範囲】
【請求項１】
閉弁方向に付勢され、手動操作又は電気的駆動力によって強制的に開弁される１つの弁体と、１つの本体内へ併設され、夫々単独で励磁可能な２つの電磁石とを備え、双方の電磁石が励磁される場合のみ前記弁体を吸着開弁保持してガス供給路を開放する電磁弁を有し、更に前記電磁弁の一方の電磁石を、バーナ近傍に配置される熱電対と接続し、他方の電磁石を、鍋底の温度上昇により設定温度で急激に電気抵抗値が増大するＰＴＣサーミスタと電源とを直列に配した通電制御回路に接続したテーブルこんろであって、
前記通電制御回路に、前記ＰＴＣサーミスタを短絡させる短絡回路と、その短絡回路を開閉するスイッチ手段とを設けたことを特徴とするテーブルこんろ。
【請求項２】
前記スイッチ手段による前記短絡回路の開作動を、消火操作又は点火操作に連動させたものである請求項１に記載のテーブルこんろ。
【請求項３】
前記短絡回路の開閉状態を知らせる表示手段を設けた請求項１又は請求項２に記載のテーブルこんろ。
【発明の詳細な説明】
【０００１】
【産業上の利用分野】
本発明は、立ち消え時の燃料供給制御や、鍋底温度を検知して設定温度に達した時に消火等の火力制御を行う安全装置を備えたテーブルこんろに関するものである。
【０００２】
【従来の技術】
テーブルこんろには、立ち消え検知用に熱電対、天ぷら火災防止を目的とした鍋底温度の検知用にＰＴＣサーミスタを用い、これらを別々に或は組み合わせて回路を構成して、ガス供給路に設けられた電磁弁と関連させ、立ち消えや鍋底の過熱が生じた場合に、前記電磁弁を閉弁させる安全装置が採用されている。しかしこの安全装置の構成によっては、ＰＴＣサーミスタの常温抵抗値にテーブルこんろの性能が影響を受けたり、又制御基板採用によるコストアップ等の問題が生じたりするため、特に本件出願人は、１つの本体に２つの電磁石を併設して夫々単独で励磁可能とし、双方の電磁石が励磁される場合のみ弁体を吸着開弁保持可能とした電磁弁の発明を既に提供し、このように改良した電磁弁の一方の電磁石に前記熱電対を、他方の電磁石に前記ＰＴＣサーミスタと電源とを用いた通電制御回路を夫々接続することで、１つの電磁弁でもテーブルこんろの性能に影響なく、簡単且つ低コストで構成できる安全装置を実現可能としている。
【０００３】
【発明が解決しようとする課題】
しかし上記改良電磁弁を用いたテーブルこんろにおいても、鍋底温度の検知は前記天ぷら料理等の低温加熱調理での火災防止を目的とするものであるから、このため安全装置を作動させる設定温度の上限が略２５０℃に制限されて、炒め物や焼き物等の高温加熱調理（約３５０℃）ができず、テーブルこんろ自体の使い勝手が悪くなってしまう。
【０００４】
【課題を解決するための手段】
そこで本発明は、上記改良電磁弁を用いた安全装置に、前記ＰＴＣサーミスタによる作動を一時的に解除する機能を新たに付与することで、更に高温加熱調理も可能となるテーブルこんろを提供するもので、その構成は、前記通電制御回路に、前記ＰＴＣサーミスタを短絡可能な短絡回路と、その短絡回路を開閉するスイッチ手段とを設けたことを特徴とするものである。
又前記スイッチ手段による前記短絡回路の開作動を、消火操作又は点火操作に連動して行わせるのが望ましい。
更に前記短絡回路の開閉状態を知らせる表示手段を設けるのが望ましい。
【０００５】
【作用】
低温加熱調理を行う際には、スイッチ手段によって短絡回路を開かせれば、ＰＴＣサーミスタの作動状態となるから、ＰＴＣサーミスタの設定温度到達による電気抵抗値急増によって通電制御回路の通電量は減少して、他方の電磁石の励磁が解かれて電磁弁が閉弁し、ガス供給路が閉塞される。しかしスイッチ手段によって短絡回路を閉路させれば、ＰＴＣサーミスタが設定温度に達してそこでの通電量が減少しても、短絡回路側での通電が維持されるから、ＰＴＣサーミスタの設定温度を超えた高温加熱調理が可能となる。
又このスイッチ手段による短絡回路の開作動を、消火又は点火操作と連動させておけば、高温加熱調理終了時の消火又は次の調理時の点火時に必ず短絡回路は開かれ、ＰＴＣサーミスタの設定温度で作動する安全機能が復帰する。
更に短絡回路の開閉状態を知らせる表示手段を設ければ、前記開閉状態が目視で確認でき、誤使用が回避できる。
【０００６】
【実施例】
以下本発明の実施例を図面に基づいて説明する。
実施例１
図１はテーブルこんろにおける安全装置の回路図で、後に詳述するようにここでのマグネット電磁弁１は、２つのコイル２３，２９を備え、双方のコイルに電流が流れたときのみ吸着開弁保持される弁体を備えた１本体２電磁石型のもので、一方のコイル２３は、バーナヘッド近傍に配置される熱電対２と直列接続されて熱電対回路３を構成すると共に、他方のコイル２９（小電流型）は、鍋底に配置され、設定温度（ここでは２５０℃）に達すると電気抵抗値が急増するＰＴＣサーミスタ６を備えた通電制御回路４に接続されている。この通電制御回路４には、電源としての乾電池５に、前記ＰＴＣサーミスタ６、抵抗７、コイル２９、点火スイッチのＯＮ操作と連動するスイッチ８、が夫々直列に接続されると共に、更にプッシュ操作でＯＮする解除スイッチ９、ＰＴＣサーミスタ６と並列の常開接点１１を開閉する電磁リレー１０、プッシュ操作でＯＦＦするリセットスイッチ１２、も夫々直列に配されて乾電池５に接続されている。尚１３は前記常開接点１１の出力側に接続された抵抗、１４は同じく常開接点１１の出力側に接続され、常開接点１１の閉成によって点灯する解除警告表示用のＬＥＤランプである。
次にここで使用されるマグネット電磁弁１の構造を説明する。図２において、筒状のケーシング２０の一方の端部には、鍔部２２を周設した基体２１が嵌着され、基体２１のケーシング２０側には、前記熱電対回路３のコイル２３を巻回したＵ字形の固定鉄心２４の基端部が嵌入固定されて、第一電磁石２５を構成している。一方ケーシング２０の他方の端部は閉塞部２６となっており、この閉塞部２６には、同じくＵ字形の可動鉄心２７が遊貫する透孔２８，２８が穿設され、その透孔２８，２８の周囲には、前記コイル２３より巻数を多くし、前記通電制御回路４における小電流型のコイル２９が埋め込まれて、第二電磁石３０を構成している。又前記固定鉄心２４と可動鉄心２７との間には、リング状の可動片３１がフリーの状態で配置され、該可動片３１は、その中央の透孔３１ａへ、前記閉塞部２６からケーシング２０の軸心と一致させて固定鉄心２４側へ延設したガイド部２６ａが貫通することで、その軸方向の摺動を案内されている。更に前記可動鉄心２７は、ケーシング２０と連結されたハウジング３２内で弁軸３３の基端部と連結されており、弁軸３３の先端部は、ハウジング３２を貫通してその外部で弁体３４を一体に備えると共に、弁体３４とハウジング３２間に設けられた圧縮スプリング３５によって先端部側へ付勢されている。尚３６ａ，３６ｂは夫々コイル２３，２９へ接続される端子金具である。
【０００７】
このように構成された安全装置においては、点火スイッチのＯＮ操作によってマグネット電磁弁１の弁体３４が強制的に押し込まれると、可動鉄心２７、可動片３１が固定鉄心２４側へ後退して当接する。このとき通電制御回路４のスイッチ８が閉じ、コイル２９へ電流が流れて、第二電磁石３０が励磁されると共に、点火後の熱電対２の熱起電力上昇により、コイル２３へ電流が流れて第一電磁石２５も励磁されるから、図２（Ａ）のように開弁状態が保持される。
ここでバーナの立ち消えが生じると、コイル２３への熱起電力の低下によって第一電磁石２５の励磁が解かれるから、可動鉄心２７は可動片３１を吸着したまま圧縮スプリング３５の付勢によって弁軸３３、弁体３４と共に図２（Ｂ）の位置へ移動し、ガスの供給を遮断する。一方鍋底温度が上昇してＰＴＣサーミスタ６が設定温度に達すると、電気抵抗値が急増してコイル２９への通電量が減少し、第二電磁石３０の励磁が解かれるから、可動鉄心２７は可動片３１を固定鉄心２４側に残して、図２（Ｃ）のように弁軸３３、弁体３４と共に圧縮スプリング３５の付勢によって閉弁位置へ復帰し、ガスの供給を遮断するものとなる。
しかし上記ＰＴＣサーミスタ６の設定温度到達による閉弁作動前に、通電制御回路４での解除スイッチ９をプッシュ操作してＯＮさせると、電磁リレー１０へ通電し、その励磁により常開接点１１が閉じて自己保持される。すると電源は常開接点１１から抵抗１３を介してコイル２９に供給されるから、ＰＴＣサーミスタ６が設定温度に達してそこでの通電量が減少しても、マグネット電磁弁１の吸着開弁保持は維持され、設定温度以上の高温加熱調理が可能となるのである。又このときは前記ＬＥＤランプ１４が点灯するから、安全装置の解除が目視で確認できる。
そして上記解除状態から、リセットスイッチ１２をプッシュ操作してＯＦＦさせると、電磁リレー１０への通電が停止して常開接点１１の自己保持が解除され、コイル２９への通電が停止するから、ＰＴＣサーミスタ６による作動状態へ復帰する。又同時にＬＥＤランプ１４も消灯するため、安全装置のセット状態が確認できる。よって上記リセットスイッチ１２を消火レバーや点火スイッチと連動させておけば、高温加熱調理終了の消火操作やその後の点火操作により、自動的にＰＴＣサーミスタ６の設定温度（低温加熱調理の上限）で作動する安全機能が復帰することになる。
【０００８】
実施例２
上記実施例１は回路構成において上記高温加熱調理とそのリセットを可能としたものであるが、以下に簡単な機械構造で前記機能を付与した実施例を説明する。
図３の回路図において通電制御回路４ａは、乾電池５に、前記抵抗７、ＰＴＣサーミスタ６、コイル２９、そしてスイッチ８を直列に接続してなり、ＰＴＣサーミスタ６と抵抗７に、解除スイッチ１５と抵抗１６とを並列に接続したもので、特にこの解除スイッチ１５は、図４，５のように、解除レバー１５ａを上限位置（スイッチ閉）と下限位置（スイッチ開）とにスライドさせることにより開閉されるスライドスイッチで、点火ボタン４０と連動し、基端の枢軸４２を支点として先端側が図４の左右方向へ回動する作動レバー４１と、枢軸４４を支点として同じく図４の左右方向に回動する戻しレバー４３とが夫々連係して、解除レバー１５ａが下限位置へ押し下げられる。その詳細は図５に示す如く、点火ボタン４０の押込みにより回動する作動レバー４１の上端に延設された当接片４１ａが、前記戻しレバー４３の垂下片４３ａを押込み、戻しレバー４３が回動すると、戻しレバー４３のアーム部４５が下方へ移動して、前記解除レバー１５ａを押し下げる構造となっている。尚この解除レバー１５ａはテーブルこんろ本体から突出しており、前記点火ボタン４０の押込み操作後、その押圧を解くと、作動レバー４１が図示しないハートカムの戻し力によってハートカムのロック位置まで戻り、作動レバー４１と戻しレバー４３は退避して解除レバー１５ａがフリー状態となるから、その位置の確認と共に手動での上下動操作が可能となっている。
よって本実施例においては、点火ボタン４０の押込みにより、作動レバー４１が回動し、前記マグネット電磁弁１が組み込まれた点滅器４６のスピンドルを押し込んで前記図２（Ａ）のようにマグネット電磁弁１を強制的に開弁させ、同時に前記のように作動レバー４１から戻しレバー４３の連係により、自動的に解除スイッチ１５の解除レバー１５ａを下方へ押し下げて、解除スイッチ１５を開かせる。スイッチ８は点火ボタン４０の操作で閉じられるから、電源は抵抗７からＰＴＣサーミスタ６を通ってコイル２９へ供給されるものとなる。その後熱電対２の熱起電力上昇によりコイル２３へも通電されるから、マグネット電磁弁１はそのまま吸着開弁保持される。
【０００９】
そして鍋底温度が上昇して設定温度に達すると、ＰＴＣサーミスタ６の電気抵抗値急増によりコイル２９への通電量が減少し、前記図２（Ｃ）の状態となってマグネット電磁弁１は閉弁するが、しかしこの閉弁前に解除レバー１５ａを手動操作で上方へ移動させておけば、解除スイッチ１５が閉じられて電流が抵抗１６、解除スイッチ１５側からもコイル２９へ流れるから、ＰＴＣサーミスタ６が設定温度に達してそこでの通電量が減少しても、通電制御回路４ａでの通電は維持され、ＰＴＣサーミスタ６の設定温度を超えた高温加熱調理が可能となる。
この高温加熱調理可能な状態のリセットは、前記のように消火に伴う点火ボタン４０のプッシュ操作で、自動的に解除レバー１５ａが押し下げられて解除スイッチ１５が開くから、安全装置が解除された高温設定のままで次の調理が行われることがなく、安全機能は確実に復帰するのである。
【００１０】
尚上記実施例１，２では、ＰＴＣサーミスタを短絡した状態では安全装置は作動しないが、この通電制御回路において高温設定用のＰＴＣサーミスタ（例えば３５０℃の設定温度を有するもの）を短絡回路側に接続すれば、高温加熱調理においても設定温度でのマグネット電磁弁の閉弁作動がなされ、より安全に使用できることとなる。
【００１１】
【発明の効果】
以上本発明によれば、改良電磁弁による安全装置を採用したテーブルこんろにおいて、低コストで簡単に安全装置を構成できる本来の効果に加えて、更に高温での加熱調理が可能となり、テーブルこんろの使い勝手が一層向上するものとなる。
又スイッチ手段による短絡回路の開作動を、消火又は点火操作と連動させておけば、高温加熱調理終了時の消火又は次の調理時の点火時に必ず短絡回路は開かれるから、戻し忘れがなくなり、より安全性が高まる。
更に前記短絡回路の開閉状態を知らせる表示手段を設ければ、前記開閉状態が目視で確認でき、誤使用が回避できる。
【図面の簡単な説明】
【図１】実施例１におけるテーブルこんろの安全装置の回路図である
【図２】（Ａ）マグネット電磁弁の説明図である。
（Ｂ）マグネット電磁弁の説明図である。
（Ｃ）マグネット電磁弁の説明図である。
【図３】実施例２におけるテーブルこんろの安全装置の回路図である。
【図４】実施例２におけるテーブルこんろの概略構成図である。
【図５】実施例２における解除スイッチと点火ボタンとの連係構造を示す説明図である。
【符号の説明】
１・・マグネット電磁弁、２・・熱電対、３・・熱電対回路、４，４ａ・・通電制御回路、５・・乾電池、６・・ＰＴＣサーミスタ、７，１３，１６・・抵抗、８・・スイッチ、９，１５・・解除スイッチ、１０・・電磁リレー、１１・・常開接点、１２・・リセットスイッチ、２３，２９・・コイル、４０・・点火ボタン、４１・・作動レバー、４３・・戻しレバー。
【図１】
0003622252.tif 000002
【図２】
0003622252.tif 000003
【図３】
0003622252.tif 000004
【図４】
0003622252.tif 000005
【図５】
0003622252.tif 000006